(57)【要約】      （修正有）【課題】従来の非常用リストバンドは、表面側に使用者の名前や血液型等の個人情報を表示しているので、表面側からは個人情報は見えず、かつヘッドライト反射効果も得られる装身用交通安全ＩＤブレスレットを提供する。【解決手段】表面は反射樹脂シートとし、背面は樹脂シート３とする二枚のシートを重ねた帯体の一方幅広側を表示帯４とし、他方の狭い側を係止帯５とする前記表示帯４の端部に、前記係止帯５と係合する係止片７を設けて成る反射帯体６を形成するとともに、前記係止帯５と、対向側の係止片７に複数個の係合穴８を施した反射帯体６の前記樹脂シート３面に、緊急時の情報表示シール１０を貼り付けた反射帯体６を形成し、その反射帯体６に、オスメスの二つを一組とする係止具を組み合わせて成るＩＤブレスレットを構成する。【選択図】図２
0003154270.tif 000002
【実用新案登録請求の範囲】
【請求項１】
表面側が反射樹脂シートで、背面側が樹脂シートの二枚で成る帯体の略半分の一方幅広側を表示帯とし、他方の幅が狭い側を係止帯とする表示帯の端部に係止片を設けるとともに、該係止片と、前記係止帯に複数個の係合穴を施して成る反射帯体を形成して成る前記表示帯の樹脂シート面に、緊急時に必要な情報表示シールを貼り付けて成る反射帯体を形成し、該反射帯体にオスメス一組とする係止具を組み合わせて成る構成を特徴とする装身用交通安全ＩＤブレスレット。
【請求項２】
前記する情報表示シールの情報表記が、登録ＮＯ、名前、所轄警察署名と電話番号である請求項１に記載する装身用交通安全ＩＤブレスレット。
【請求項３】
前記する情報表示シールが、表示帯の反射シートと樹脂シートとの間に封入して成る請求項１又は請求項２に記載する装身用交通安全ＩＤブレスレット。
【考案の詳細な説明】
【技術分野】
【０００１】  本考案は、手首に取り付けると装身具でもあり、かつ反射発光と非常時の識別表示機能を得られる、簡易にして極めて安価に提供することができるＩＤブレスレットに関する。
【背景技術】
【０００２】  従来より、手首に付ける腕輪やブレスレットなどの装身具があり、それに類するものとしては、重体で入院した患者や誕生したばかりの赤ちゃんなどに付ける識別用のバンドやブレスレットなどが提供されている。これらのブレスレットやバンドは、言葉が話せない、分からない個人識別のために、名前、年齢、血液型、電話番号、その他必要情報を表示した識別用バンドを手首や足首に装着している。【０００４】  また、手首に取り付けるバンドに、名前や年齢、血液型、その他の個人情報を表示することで、緊急時に対応できる個人識別用のリストバンドの技術もある。（例えば、特許文献１参照）
【特許文献１】特開２００８−１５８３２４公報
【考案が解決しようとする課題】
【０００５】  前記する手首に装着する腕輪やブレスレットは、宝飾品として愛用される品であり、他方、緊急時の際に使用されるタイプは、その人の名前や血液型、電話番号など記した腕輪や識別バンドがある。しかし、これらの腕輪や識別バンドに記される表示は、一目で分かるようにバンド表面に表示したものであるので病院など特定な場所ならよいが、一般社会における屋外での徘徊者や子供などに使用した場合は、電話番号が他人に知られ、個人情報防止の意味からも危険であるので日常生活の中では使えないなどの不便があったし、また、その不便を解消したバンドやブレスレット類は提供されていなかった。
【０００６】  さらに特開２００８−１５８３２４公報に開示するものはリストバンドの技術があるがこのリストバンドを手首に装着することで、入院した患者や子供、新生児の赤ちゃんの手首や足首に取り付けることで、名前や血液型、親や身内の連絡先、その他の情報を知ることができるバンドである。しかしその表示方法はバンドの表面に表示されるので、名前や血液型はよいとしても電話番号まで表示すると、容易に他人に読み取られることもあり、悪意を持つ人間に知られた場合は、好ましくない事に利用される恐れがあるリストバンドの技術であったし、特に日常生活における屋外での徘徊者や子供に使用することはできないなどの不便や欠点がある技術であった。
【０００７】  以上のようなリストバンドやブレスレットがあるが、最近は認知症の高齢者が家を出て夜間、道路を徘徊して交通事故遭ってしまう例が多くなっており、この際、反射材が光ってドライバーに見えれば悲惨な交通事故を防止ができたかも知れない。また反射材付きブレスレットや衣服を身に付けていれば高齢者を発見して交通事故を未然に防止したり、また認知症の高齢者や子供を保護した場合、個室に入れっぱなしにすることはできず警察官の大きな負担となり課題でもあった。
【課題を解決するための手段】
【０００８】  本考案は、前記する従来の不便や欠点を解消し、一般社会における子供や高齢者に用いても安心で、かつ警察署や特定場所に登録した場合は速やかに身元が判明できる装身用のブレスレットを提供するために、請求項１においては、表面側が反射樹脂シートで、背面側が樹脂シートの二枚で成る帯体の略半分の一方の幅広側を表示帯とし、他方の幅が狭い側を係止帯とする前記表示帯の端部に係止片を設けるとともに、該係止片と、前記係止帯に複数個の係合穴を施して成る反射帯体を形成して成る前記表示帯の樹脂シート面に、緊急時に必要な情報表示シールを貼り付けて成る反射帯体を形成し、該反射帯体にオスメス一組とする係止具を組み合わせることで、徘徊者や迷子、身元不明者が見つかった場合でも情報照会するだけで判明し、かつ交通安全にも寄与する装身用交通安全ＩＤブレスレットとする。
【０００９】  請求項２においては、前記する情報表示シールの情報表記が、登録番号、名前、所轄警察署名、電話番号を記すことで、認知症の徘徊者や子供の迷子がスピーディに判明できるものとする。
【００１０】  請求項３においては、前記する情報表示シールが、表示帯の反射シートと樹脂シートとの間に封入することで、情報が一目では分かりにくく、かつ濡れても剥がれたりしないものとする。
【考案の効果】
【００１１】  本考案によるＩＤブレスレットは、表面が反射で、背面が一般樹脂シートで成る幅広側の樹脂シート面に、使用者の氏名や所轄警察署名と電話番号、その他を表記できる情報表示シールを貼り付けて成るユニークなＩＤブレスレットであるので、次のような使い方や効果を得る。
【００１２】  まず、最近の例としては、認知症の高齢者が家を出て夜間、道路を徘徊して交通事故に遭ってしまう例が多くなっているが、本案のような反射材付きのＩＤブレスレットを身に付けていればドライバーには遠くから光って見えるので、交通事故を未然に防ぐことができる。さらに、高齢者の徘徊や子供が迷子になれば家族又は民生委員、担当ヘルパーは、事前に地元の警察署に届け出をして置くと、警察官がこの反射材付きＩＤブレスレットを身に着けた高齢者や子供を見つけて保護した場合、本人の名前、警察署の電話番号が記されたブレスレットを装着していれば直ちに情報が得られるので、所轄の警察署に電話することで早期解決ができる。また反射面は、昼間は蛍光素材様に目立つ装飾効果を得られて見た目にもきれいでお洒落でもある。
【００１３】  また第１実施形態の機能ブレスレットを形成する背面側には、使用者の名前や所轄警察署名と電話番号等の情報を表記した情報表示シールを貼り付けているので、このブレスレットを手首に装着した高齢徘徊者が見つかった場合でも、その地域の警察署か高齢者センターにあらかじめ登録して置けば、問い合わせるだけで容易に判明して保護できるユニークな機能を持つＩＤブレスレットである。
【００１４】  また多くの人が集まって混雑する大型テーマパークや遊園地、海水浴場、イベント会場においてこの方法を利用するお客様は、受付でテーマパークの名前、登録番号、保護者の名前と携帯電話番号を書いて登録した上で、子供の名前と登録番号を記入した反射材付きＩＤブレスレットを装着させると、万一保護者と子供がはぐれてしまった場合には、保護者が管理センターに届けるだけで、ＩＤブレスレットに書かれている登録番号と子供の名前からスタッフは無線などで子供の特徴と名前と登録番号を伝え捜索し、その特徴が迷子と一致したＩＤブレスレットを着用している子供が見つかれば、登録番号と子供の名前が一致することで早期解決が可能となる。
【００１５】  また、本案のＩＤブレスレットを着用している迷子を発見した場合には、ＩＤブレスレットに書かれている登録番号と子供の名前を管理センターに問い合せるだけで判明し、かつ登録されている保護者の携帯電話に電話をして引き取りに来て頂くことも容易である。
加えて、テーマパークのプレゼントとして持ち帰って使用した場合は、一般生活の中でもＩＤブレスレットの反射効果により、夜間の車のライトに反射して交通安全防止効果となるとともにテーマパークの宣伝媒体ともなります。
【００１６】  さらに第２実施形態に示すタイプは、情報表示シールが反射樹脂シートと樹脂シートの間に封入されているので、仮に海水浴や雨に濡れても剥がれることはなく、しかも反射シートの正面からは内部の情報表記が容易に読み取れないが、斜め方向から見るとプリズム作用により情報表記を読み取ることができるなど、素材はもとより構成もシンプルで安価にして広く提供できる、従来には見られない装身用ＩＤブレスレットを提供する。
【考案を実施するための最良の形態】
【００１７】  本考案のＩＤブレスレットの第１実施形態を、図１に示す平面図と図２に示す背面図、図３のブレスレットの連環状態を示す斜視図、図５に示す手首に装着した使用例参考図で説明する。
本考案における第１実施形態のＩＤブレスレット１は、表面の素材は反射樹脂シート２とし、背面の素材は一般の樹脂シート３とする異なる二枚のシートを重ね合わせた上で、帯体の略半分の一方の幅広側を表示帯４とし、他方側はその半分の幅を成す係止帯５とする前記表示帯４の端部に、前記係止帯５と係合する係止片７を、前記表示帯４端部の左右いずれか一方側に突き出した状態に取り付けて成る反射帯体６を形成すべく、高周波のウエルダー加工による刃型を用いて溶着切断して成る反射帯体６を形成し、その反射帯体６の前記係止帯５に複数個の係合穴８，８を施し、かつ対向側の係止片７には２個の係合穴８を施して成る反射帯体６を形成する。【００１８】  次に、以上のように形成した反射帯体６の幅広側の樹脂シート３面には、矩形状のシールに、例えば、登録ＮＯ、使用者名、所轄警察署名と電話番号、その他のＩＤ情報を記した情報表記９を設けた情報表示シール１０を貼り付けた反射帯体６とし、その反射帯体６に、輪状に連環するためのオスメスの二つを一組とする係止具１１を組み合わせて成るＩＤブレスレット１を構成する。【００１９】  第１実施形態によるＩＤブレスレット１は、表面は反射樹脂シート２で背面は樹脂シート３で成る反射帯体６の樹脂シート３面に、登録ＮＯ，使用者名、所轄警察署と電話番号等を手書きで記入できる情報表記９をした情報表示シール１０を貼り付けて成るＩＤブレスレット１を形成するので、緊急時に際しては、大人子供問わず所轄警察や管理センターに照会すれば身元が判明し、かつ表面は反射素材であるので交通安全にも対応するものとなる。尚、本実施例における情報表記９は手書きで記すが、プリント表記してもよい。【００２０】  第２実施形態のＩＤブレスレットを図４に示す一部を剥離した要部拡大図で説明する。第２実施形態によるＩＤブレスレット１は、基本構成は前記第１実施形態と同じであるが、幅広側の表示帯４の裏側内部に、情報表記９した情報表示シール１０を封入したタイプである。【００２１】  その構成は、図４に示すように、表面側は反射樹脂シート２で、背面側は一般の樹脂シート３で成る表示帯４の端部に、係合穴８付き係止片７を設けて成る前記幅広側の樹脂シート３面に、前記第１実施形態と同じような、登録ＮＯ、使用者名、所轄警察署名と電話番号など必要な情報をプリントした情報表記９を記した情報表示シール１０を、前記反射樹脂シート２の裏面に接するように位置して後、周囲をウエルダー加工による溶着切断して成る反射帯体６を形成する。【００２２】  第２実施形態による機能ブレスレット１の反射帯体６は、基本は前記第１実施形態と同じであるが、その反射帯体６を形成する反射樹脂シート２と樹脂シート３の間に情報表記９した情報表示シール１０を封入しているので、雨や海水浴で濡れても剥がれない。また反射面の正面側から見ただけでは情報表記９は分かりにくいが、斜め方向から見るとプリズム作用により情報表示シール１０の情報表記９を読み取ることができる。【００２３】  本考案によるＩＤブレスレット１は以上のような構成であるが、第１及び第２実施形態による情報表記９の内容は、使用される目的や場所によって任意に変えてよいものである。また、第２実施形態の情報表示シール１０は反射樹脂シート２と樹脂シート３の間に封入したタイプであるが、それに第１実施形態のように樹脂シート３面に他の情報を記した情報表示シール１０を貼り付けても差し支えないものであり、いずれも特に限定されるものではない。
【図面の簡単な説明】
【００２４】
【図１】本考案によるＩＤブレスレットの第１実施形態を示す平面図である。
【図２】第１実施形態のＩＤブレスレットを示す背面図である。
【図３】第１実施形態のＩＤブレスレットの連環状態を示す斜視図である。
【図４】第２実施形態のＩＤブレスレットを示す要部を一部剥離した状態の拡大斜視図である。
【図５】本考案の第１実施形態のＩＤブレスレットを手首に装着した状態の使用例参考図である。
【符号の説明】
【００２５】１  ＩＤブレスレット
２  反射樹脂シート
３  樹脂シート
４  表示帯
５  係止帯
６  反射帯体
７  係止片
８  係合穴
９  情報表記
１０  情報表示シール
１１  係止具
【図１】
0003154270.tif 000003
【図２】
0003154270.tif 000004
【図３】
0003154270.tif 000005
【図４】
0003154270.tif 000006
【図５】
0003154270.tif 000007